(57)【要約】【課題】  固定装置に対して、特に固定装置の組立て工程を複数の組立てステップに分割することを可能にする改善された１つの実施形又は少なくとも１つの他の実施形を提供する。【解決手段】  固定装置（１）が支持要素（２）と保持要素（３）を備え、組立て状態で支持要素（２）が見える側からボディ部品（５）に配設され、保持要素（３）が見えない側からボディ部品（５）に配設されている、ボディ部品（５）に固定するための装着部品（４）用の固定装置（１）において、保持要素（３）がアンダカット要素（６）を備え、このアンダカット要素を介して、保持要素が、組立て状態で見えない側からボディ部品（５）の相応の開口（７）を貫通し、保持部品が独自でボディ部品（５）に固定されるようにボディ部品側の保持輪郭（８）の背後を把持する。【選択図】        図１
2008001359.tif 000002
【特許請求の範囲】
【請求項１】
固定装置（１）が支持要素（２）と保持要素（３）を備え、組立て状態で支持要素（２）が見える側からボディ部品（５）に配設され、保持要素（３）が見えない側からボディ部品（５）に配設されている、ボディ部品（５）に固定するための装着部品（４）用の固定装置（１）において、
保持要素（３）がアンダカット要素（６）を備え、このアンダカット要素を介して、保持要素が、組立て状態で見えない側からボディ部品（５）の相応の開口（７）を貫通し、ボディ部品側の保持輪郭（８）の背後を把持することを特徴とする固定装置。
【請求項２】
支持要素（２）が、それぞれ１つの係止要素（１０）に配設された、反対側に位置する係止ノーズ（１１，１１’）を備えること、係止要素（１０）の係止ノーズ（１１，１１’）が、組立て状態で保持要素（３）の互いに向かい合っている相手係止要素（１２，１２’）によって係止されていること、支持要素（２）の係止要素（１０）が、組立て状態でボディ部品（５）と保持要素（３）の相応の開口（７’）を貫通すること、保持要素（３）の相手係止要素（１２，１２’）が、保持要素（３）の支持要素（２）とは反対の側に配設されていることを特徴とする請求項１に記載の固定装置。
【請求項３】
支持要素（２）が、ボディ部品（５）に面した少なくとも１つの位置決めノーズ（１３）を備え、この位置決めノーズが、組立て状態でこの位置決めノーズに対して相補的にボディ部品（５）に形成された位置決め凹部（１４）に係合すること、及び／又は支持要素（２）が、ボディ部品（５）に面した少なくとも１つの位置決め溝（１５）を備え、この位置決め溝が、組立て状態でボディ部品（５）に配設された位置決め突起（１６）と協働することを特徴とする請求項１又は２に記載の固定装置。
【請求項４】
支持要素（２）が少なくとも１つの第１の位置決め開口（１７）を備え、この位置決め開口に、組立て状態で装着部品（４）の少なくとも１つの付属の位置決めノーズ（１３’）が係合することを特徴とする請求項１〜３のいずれか１つに記載の固定装置。
【請求項５】
ボディ部品（５）に第２の位置決め開口（１８）が設けられており、この位置決め開口が、組立て状態で支持要素（２）の少なくとも１つの第１の位置決め開口（１７）と整列するように配設されていることを特徴とする請求項４に記載の固定装置。
【請求項６】
保持要素（３）に第３の位置決め開口（１９）が設けられており、この位置決め開口が、組立て状態で支持要素（２）の少なくとも１つの第１の位置決め開口（１７）と整列するように配設されていることを特徴とする請求項４又は５に記載の固定装置。
【請求項７】
装着部品（４）の位置決めノーズ（１３’）が、組立て状態で第２の位置決め開口（１８）に係合すること、又は装着部品（４）の位置決めノーズ（１３’）が、組立て状態で第２及び第３の位置決め開口（１８，１９）に係合することを特徴とする請求項６に記載の固定装置。
【請求項８】
支持要素（２）及び／又は保持要素（３）が、それぞれ一体的な合成樹脂部品として形成されていることを特徴とする請求項１〜７のいずれか１つに記載の固定装置。
【請求項９】
保持要素（３）の相手係止要素（１２’）の少なくとも１つがバネ弾性的な舌部として形成されていることを特徴とする請求項１〜８のいずれか１つに記載の固定装置。
【請求項１０】
装着部品（４）がエンブレムを備えることを特徴とする請求項１〜９のいずれか１つに記載の固定装置。
【請求項１１】
保持要素（３）が係止舌部（９）を備え、この係止舌部が、組立て状態でボディ部品（５）に配設された相手係止輪郭と協働し、保持要素（３）を不動にボディ部品（５）に固定することを特徴とする請求項１〜１０のいずれか１つに記載の固定装置。
【発明の詳細な説明】
【技術分野】
【０００１】
本発明は、請求項１の上位概念による、ボディ部品に固定するための装着部品用の固定装置に関する。
【背景技術】
【０００２】
今日の車両の組立てでは、例えばエンブレムのような装着部品を係止もしくはクリップ結合部を介して付属のボディ部品と結合することが通例である。この場合、装着部品は、好ましくは自動車の最終組立ての最後の仕上げステップで車両もしくはボディ部品に固定される。この場合、固定部は、例えば盗難の際の装着部品の非当業者による後からの取外しを少なくとも困難にするように形成すべきである。
【０００３】
特許文献１から、ボディ部品に固定するためのメーカプレートの形をした装着部品用の固定装置が公知である。この場合、固定装置は、本質的に、見える側からボディ部品に配設され、可視の型式名称をつけている支持要素と、見えない側からボディ部品に配設され、同時に支持要素に形成された係止要素用の相手係止要素を構成する保持要素から成る。この場合、支持要素の係止要素は、係止要素の相手係止要素へのほぼ無段階の係止を可能にする複数のかえしを備える。
【０００４】
ボディ部品への装着部品用の別の固定装置は、例えば特許文献２及び特許文献３から公知である。
【特許文献１】国際公開第０１／１０６８１号パンフレット
【特許文献２】独国特許出願公開第３７  ０４  １９０号明細書
【特許文献３】独国実用新案第８９０３２８９号明細書
【発明の開示】
【発明が解決しようとする課題】
【０００５】
本発明は、この種の固定装置に対して、特に固定装置の組立て工程を複数の組立てステップに分割することを可能にする改善された１つの実施形又は少なくとも１つの他の実施形を提供することを課題とする。
【課題を解決するための手段】
【０００６】
この課題は、本発明によれば独立請求項の対象によって解決される。有利な実施形は、従属請求項の対称である。
【０００７】
本発明は、支持要素及び保持要素を備える、装着部品をボディ部品に固定するための固定装置において、保持要素にアンダカット要素を設け、このアンダカットを介して、保持要素が後の見えない側からボディ部品の相応の開口を貫通し、ボディ部品に形成された保持輪郭により固定されるという一般思想に基づく。従って、保持要素は、第１の組立てステップでボディ部品に固定することができるのに対し、例えばエンブレム又は紋章をつけた支持要素は、別の組立てステップで、例えば他の作業で保持要素もしくはボディ部品と結合することができる。アンダカット要素により、保持要素は確実及び独自でボディ部品に固定することができるので、組立ての中断は問題なく可能である。
【０００８】
合目的に、支持要素は少なくとも１つの第１の位置決め開口を備え、この位置決め開口に、装着部品の少なくとも１つの付属の位置決めノーズが係合する。従って、支持要素の位置決め開口と協働する装着部品の位置決めノーズは、支持要素に対する装着部品の正確な位置決めを保証し、これは、特にデザインに影響を与える隙間に関して大いに有利である。同時に、位置決めノーズは支持要素への装着部品の正確な取付けを容易にするので、組立て工程は、品質的に良好に短時間で実施することができる。
【０００９】
本発明による解決策の有利な実施形では、支持要素が係止舌部を備え、この係止舌部が、ボディ部品に配設された相手係止輪郭と協働し、支持要素を不動にボディ部品に固定する。この場合、係止舌部は、アンダカット要素に加えて保持要素のボディ部品への固定部を生じさせるので、この固定部は、第１の作業ステップで位置を固定されてボディ部品に配設することができる。更に、係止舌部は、保持要素がその位置をボディ部品に対して変えてしまうことを防止するので、ボディ部品は、問題なく別の作業ステーションに移動させることができ、その間に保持要素がボディ部品に対してずれることを心配する必要はない。
【００１０】
別の有利な実施形では、支持要素が、それぞれ１つの係止要素に配設された、反対側に位置する係止ノーズを備え、この係止ノーズは、支持要素が保持要素に組み立てられた時に保持要素の互いに向かい合っている相手係止要素によって係止されている。このような係止要素と相手係止要素の配設は、固定装置を解体するために、見えない側からの、即ち保持要素が配設されている側からの作業を前提とする。従って、装着部品の許されてないもしくは望ましくない取外しは、見えない側が別の部品、例えばボディ部品の取外しによってのみ作業可能となる場合に限って著しく困難となる。従って、係止は、装着部品のための高い盗難防止を提供する。
【００１１】
合目的に、支持要素及び／又は保持要素は、それぞれ一体的な合成樹脂部品として形成されている。この場合、支持要素及び／又は保持要素を射出成形法で製造し、これにより、品質的に高価値で同時に安価な構造要素を製造することができる。
【００１２】
本発明の更に重要な特徴及び詳細は、下位の請求項、図面、及び図面を基にした付属の図の説明から得られる。
【００１３】
前記の特徴と以下で更に説明すべき特徴は、それぞれに記載した組み合わせだけでなく、本発明の枠を逸脱しなければ、他の組み合わせでも、単独でも使用可能である。
【発明を実施するための最良の形態】
【００１４】
本発明の好ましい実施例を図示した図面を基にして、本発明を以下で詳細に説明する。この場合、同じ又は同様の又は機能が同じ部品には同じ符号を適用する。
【００１５】
図１に応じて、本発明による固定装置１は支持要素２と保持要素３を備える。この場合、固定装置１は、装着部品４、例えば紋章又はエンブレムをボディ部品５に固定するために使用される。支持要素２は、見える側からボディ部品５に配設されているのに対して、保持要素３は見えない側からボディ部品５に配設されている。固定装置１の組立て工程を複数の作業ステップに分けることができるように、保持要素３にアンダカット要素６が設けられており、このアンダカット要素を介して、保持要素３は、見えない側からボディ部品５の相応の開口７を貫通し、ボディ部品側の保持輪郭８の背後を把持する。この場合、アンダカット要素６の大きさは、保持要素３を、先ずボディ部品５の標準方向に開口７に差し込み、次に、アンダカット要素６がボディ側の保持輪郭８の周囲もしくは背後を把持し、これによりボディ部品５と不動に結合されるように、ボディ部品５の面に対して本質的に平行に変位させるよう、ボディ部品５の開口７の大きさに調整されている。
【００１６】
付加的に、保持要素３には係止舌部９（図３参照）を形成することができるが、この係止舌部は、ボディ部品５に配設された示してない相手係止輪郭と協働するかもしくは相手係止輪郭により係止され、これにより保持部品３を不動もしくは脱落しないようにボディ部品５に固定する。従って、保持要素３は確実にボディ部品５によって係止されるので、ボディ部品５の見えない側から必要な全ての作業を終了することができ、固定装置１の更なる組立て、即ち支持要素２の挟持は、もっぱら見える側から行なうことができる。
【００１７】
図１によれば、支持要素２はそれぞれ１つの係止要素１０に配設された、反対側に位置する係止ノーズ１１及び１１’を備える。固定装置１が完全に組み立てられた時に、係止要素１０の係止ノーズ１１及び１１’は、保持要素３の互いに向かい合っている相手係止要素１２及び１２’によって係止されている（図２及び３参照）。本発明によれば、保持要素３の相手係止要素１２及び１２’は、保持要素３の支持要素２とは反対の側に配設されているので、これら相手係止要素は、見えない側からのみ作業可能である。この場合、図３によれば、相手係止要素１２が係止エッジもしくは係止輪郭として形成されているのに対して、保持要素３の相手係止要素１２’はバネ弾性的な舌部として形成されている。反対側に位置する係止部は、固定装置１を取り外すために見えない側からの作業性が与えられていなければならないということを生じさせる。これは、さもなければ係止要素１０が曲がった場合でもそれぞれ１つの係止ノーズ１１又は１１’が付属の相手係止要素１２又は１２’により係止されたままになるからである。従って、反対側に位置する係止部は高い盗難防止を提供する。
【００１８】
互いに係止することを可能にするために、支持要素２の係止要素１０は、ボディ部品５の相応の開口７と保持要素の相応の開口７’を貫通しなければならない。
【００１９】
支持要素２のボディ部品５もしくは保持要素３に対する位置決めを容易化するために、支持要素２は、ボディ部品５に面した少なくとも１つの位置決めノーズ１３を備え（図２参照）、この位置決めノーズが、装着部品４を組み立てる際に、この装着部品に対して相補的に形成されたボディ部品５の位置決め凹部１４に係合する（図１参照）。
【００２０】
更に、支持要素２がボディ部品５に面した少なくとも位置決め溝１５を備え、この位置決め溝は、ボディ部品５に配設された位置決め突起１６と協働する。この場合、更に、位置決めノーズ１３が、ボディ部品５に対してＸ方向に支持要素２を位置決めするために設けられているのに対して、支持要素２の位置決め溝１５は、ボディ部品５に対するＹ方向の位置決めのために使用される。
【００２１】
装着部品４を容易かつ位置正確に支持要素２に位置決めもしくは固定することができるように、支持要素２は少なくとも１つの第１の位置決め開口１７を備え（図１参照）、この位置決め開口に、装着部品４の少なくとも１つの付属の位置決めノーズ１３’が係合する。これに対して、ボディ部品５は、支持要素２の少なくとも１つの第１の位置決め開口１７に対して整列するように配設されている第２の位置決め開口１８を備える（図１参照）。第３の位置決め開口１９は、保持要素３に設けられ、同様に支持要素２の少なくとも１つの第１の位置決め開口１７に対して整列するように配設されている。この場合、装着部品４の位置決めノーズ１３’は、支持要素２の第１の位置決め開口１７とボディ部品５の大２の位置決め開口１８に係合するか、３つ全ての位置決め開口１７，１８及び１９に係合するかのいずれかである。
【００２２】
固定装置１をできるだけ安価に少ない部品コストで製造することができるように、支持要素２及び／又は保持要素３は、それぞれ一体的な合成樹脂部品として形成されており、例えば射出成形法で製造されている。
【００２３】
以下で、本発明による固定装置１の特徴的な特徴を簡潔に説明する。
【００２４】
固定装置１の保持要素３は、見えない側からそのアンダカット要素６をボディ部品５の開口７に差し込まれ、次にボディ部品の面に対して本質的に平行に延在する方向に、アンダカット要素６がボディ側の保持輪郭８を背後から把持するまで移動される。保持要素３が完全にその最終状態にまで移動された場合、保持要素３に配設された係止舌部９がボディ部品５に配設された示してない相応の相手係止輪郭によって係止されるので、保持要素３が不動にボディ部品５に固定される。ボディ部品５は、例えば自動車と結合することができ、しかもボディ部品５の見えない側がもはや作業可能でないように結合することができる。その上に装着部品４、例えばマークエンブレムが配設された支持要素２は、見える側から簡単に押し込むことによって保持要素３により係止し、これにより、不動にボディ部品５に固定することができる。反対側に位置する２つの係止ノーズ１１及び１１’を有する係止要素１０の特殊な形成により、相応に向かい合っている相手係止要素１２及び１２’を得ることができるので、装着部品４の取外しは、見える側からしかもはや可能でなく、これにより、固定装置１を破壊しない装着部品４の盗難を排除することができる。ボディ部品５への保持要素３の独自での固定により、支持要素２のボディ部品５への最終的な取付けは、後の時点でも、即ち後の作業ステップでも実施することができる。
【図面の簡単な説明】
【００２５】
【図１】ボディ部品に固定するための装着部品用の本発明による固定装置を概略的に示す。
【図２】Ｉ−Ｉ平面で切断した固定装置の横断面図を概略的に示す。
【図３】ボディ部品とは反対の側から見た保持要素の図を概略的に示す。
【符号の説明】
【００２６】
１              固定装置
２              支持要素
３              保持要素
４              装着部品
５              ボディ部品
６              アンダカット要素
７              ボディ部品の開口
７’            保持部品の開口
８              保持輪郭
９              係止舌部
１０            係止要素
１１，１１’    係止ノーズ
１２，１２’    相手係止要素
１３            位置決めノーズ（支持要素）
１３’          位置決めノーズ（装着部品）
１４            位置決め凹部
１５            位置決め溝
１６            位置決め突起
１７            第１の位置決め開口（支持要素）
１８            第２の位置決め開口（ボディ部品）
１９            第３の位置決め開口（保持要素）
【図１】
2008001359.tif 000003
【図２】
2008001359.tif 000004
【図３】
2008001359.tif 000005